(57)【要約】      （修正有）【課題】取付可能な電柱の径の範囲が広く、コストを低減することができる電柱用アームバンドを提供する。【解決手段】所定の長さのバンド本体１１が、両端部１１ｂにそれぞれ長さ方向に配列した複数の貫通孔を有する。１対の締付具１２が複数の取付孔を有する。各締付具１２はそれぞれ各取付孔をバンド本体１１の長さ方向に配列させて、バンド本体１１の両端部１１ｂで任意の取付孔により任意の貫通孔に取り付け可能である。１対の固定具１３が、それぞれ各締付具１２に取り付けられる。各固定具１３はバンド本体１１と各締付具１２とアーム部材５との間に電柱１を挟んだとき、電柱１の左右両側でアーム部材５を電柱側に押し付けて電柱を締め付け可能である。【選択図】図１
0003169833.tif 000002
【実用新案登録請求の範囲】
【請求項１】
電柱に対して交差するようアーム部材を取り付けるための電柱用アームバンドであって、
バンド本体と１対の締付具と１対の固定具とを有し、
前記バンド本体は所定の長さを有し、両端部にそれぞれ長さ方向に配列した複数のバンド側取付部を有し、
各締付具は複数の締付側取付部を有し、それぞれ各締付側取付部を前記バンド本体の長さ方向に配列させて前記バンド本体の両端部で任意の前記締付側取付部により任意の前記バンド側取付部に取り付け可能であり、
各固定具はそれぞれ各締付具に取り付けられ、前記バンド本体と各締付具と前記アーム部材との間に電柱を挟んだとき前記アーム部材を電柱側に押し付けて電柱を締め付け可能に構成されていることを、
特徴とする電柱用アームバンド。
【請求項２】
各バンド側取付部は前記バンド本体に設けられた貫通孔を有し、
各締付側取付部は各締付具に設けられた取付孔を有し、
各締付具は、任意の前記締付側取付部を任意の前記バンド側取付部に重ね合わせて貫通するボルトおよびナットで前記バンド側取付部に固定可能であることを、
特徴とする請求項１記載の電柱用アームバンド。
【請求項３】
各締付具は、前記バンド本体と各締付具と前記アーム部材との間に電柱を挟んで締め付けたとき電柱の円筒面に接する、電柱径の曲率以下の曲率の凹面を有することを、特徴とする請求項１または２記載の電柱用アームバンド。
【考案の詳細な説明】
【技術分野】
【０００１】
本考案は、電柱に対して垂直にアーム部材を取り付けるための電柱用アームバンドに関する。
【背景技術】
【０００２】
従来、図３に示すように、電柱１に対して垂直にアーム部材５を取り付けるための電柱用アームバンド５０は、バンド本体５１が両端部にそれぞれ３つの貫通孔５１ａを有し、１対の締付金具５２がいずれか１つの貫通孔５１ａを利用して、バンド本体５１の両端部にそれぞれ取り付けられており、取り付ける貫通孔５１ａを変えることにより、異なる径の電柱１に取付可能になっている（例えば、特許文献１参照）。
【先行技術文献】
【特許文献】
【０００３】
【特許文献１】実用新案登録第３１１０９７１号公報
【考案の概要】
【考案が解決しようとする課題】
【０００４】
特許文献１に記載の電柱用アームバンドは、取付可能な電柱径が１９０〜２８０ｍｍであり、取付可能な最大の電柱径２８０ｍｍよりも径が大きい電柱に取り付けるときには、別の電柱用アームバンドを使用しなければならず、材料費や製造費などのコストが嵩むという課題があった。このため、取付可能な電柱の径の範囲をできるだけ拡げたいという要望があった。
【０００５】
本考案は、このような課題に着目してなされたもので、取付可能な電柱の径の範囲が広く、コストを低減することができる電柱用アームバンドを提供することを目的とする。
【課題を解決するための手段】
【０００６】
上記目的を達成するために、本考案に係る電柱用アームバンドは、電柱に対して交差するようアーム部材を取り付けるための電柱用アームバンドであって、バンド本体と１対の締付具と１対の固定具とを有し、前記バンド本体は所定の長さを有し、両端部にそれぞれ長さ方向に配列した複数のバンド側取付部を有し、各締付具は複数の締付側取付部を有し、それぞれ各締付側取付部を前記バンド本体の長さ方向に配列させて前記バンド本体の両端部で任意の前記締付側取付部により任意の前記バンド側取付部に取り付け可能であり、各固定具はそれぞれ各締付具に取り付けられ、前記バンド本体と各締付具と前記アーム部材との間に電柱を挟んだとき前記アーム部材を電柱側に押し付けて電柱を締め付け可能に構成されていることを、特徴とする。
【０００７】
本考案に係る電柱用アームバンドは、以下のようにして、電柱に対して交差するようアーム部材を取り付けることができる。まず、アーム部材を取り付ける高さで、電柱の左右両側に各固定具が配置されるよう、電柱に対しバンド本体を配置する。バンド本体と各締付具とアーム部材との間に電柱を挟むように、アーム部材を配置する。このとき、各締付具をバンド本体の長さ方向に沿って移動させ、アーム部材を取り付けやすい位置で、各締付具を任意の締付側取付部によりバンド本体の任意のバンド側取付部に取り付ける。その状態で、各固定具によりアーム部材を電柱側に押し付け、バンド本体と各締付具とアーム部材とで電柱を締め付ける。こうして、電柱にアーム部材を固定することができる。
【０００８】
本考案に係る電柱用アームバンドは、バンド本体に取り付ける各締付具の位置を、バンド本体の複数のバンド側取付部と各締付具の複数の締付側取付部とにより調整することができる。このため、各締付具の締付側取付部が１つの場合に比べて、細かい調整が可能で、調整できる範囲を拡げることができる。締付側取付部およびバンド側取付部の数は、それぞれ２つでも３つ以上であってもよく、数が多いほどより細かい調整が可能となる。本考案に係る電柱用アームバンドにより、電柱の径ごとに複数種類の電柱用アームバンドを準備する必要がなくなるので、材料費や製造費などのコストを低減し、かつ、製品管理を容易にすることができる。なお、アーム部材は、例えば、碍子を介して電線や通信線などを支持するための槍出アームなどの腕金から成っている。
【０００９】
本考案に係る電柱用アームバンドにおいて、各バンド側取付部は前記バンド本体に設けられた貫通孔を有し、各締付側取付部は各締付具に設けられた取付孔を有し、各締付具は、任意の前記締付側取付部を任意の前記バンド側取付部に重ね合わせて貫通するボルトおよびナットで前記バンド側取付部に固定可能であることが好ましい。この場合、各締付具の位置の調整が容易である。また、ボルトおよびナットにより、各締付具をバンド本体の両端部に容易に固定することができる。
【００１０】
本考案に係る電柱用アームバンドで、各締付具は、前記バンド本体と各締付具と前記アーム部材との間に電柱を挟んで締め付けたとき電柱の円筒面に接する、電柱径の曲率以下の曲率の凹面を有していることが好ましい。この場合、各締付具が凹面の少なくとも２点で電柱の円筒面に接するようにすることができる。このため、本考案に係る電柱用アームバンドを安定した状態で電柱に取り付けることができる。
【考案の効果】
【００１１】
本考案によれば、取付可能な電柱の径の範囲が広く、コストを低減することができる電柱用アームバンドを提供することができる。
【図面の簡単な説明】
【００１２】
【図１】本考案の実施の形態の電柱用アームバンドの使用状態を示す平面図である。
【図２】本考案の実施の形態の電柱用アームバンドの使用状態を示す左側面図である。
【図３】従来の電柱用アームバンドの使用状態を示す（ａ）平面図、（ｂ）左側面図である。
【考案を実施するための形態】
【００１３】
以下、図面に基づき本考案の実施の形態について説明する。
図１および図２は、本考案の実施の形態の電柱用アームバンドを示している。
図１および図２に示すように、電柱用アームバンド１０は、バンド本体１１と１対の締付具１２と１対の固定具１３とを有している。
【００１４】
バンド本体１１は、一例では熱間圧延鋼材ＳＳ４００製で、所定の長さを有する細長い板状である。バンド本体１１は、電柱１に巻き付けやすいように、中央部１１ａが所定の曲率で曲面状に曲げられている。バンド本体１１は、両端部１１ｂに、それぞれ長さ方向に沿って、一定の間隔をあけて配列した４つの貫通孔（バンド側取付部）１１ｃを有している。各貫通孔１１ｃは、正方形状で、バンド本体１１の幅方向の中心位置でバンド本体１１を厚さ方向に貫通している。
【００１５】
各締付具１２は、一例では熱間圧延鋼材ＳＳ４００製で、それぞれバンド本体１１の両端部１１ｂに着脱可能に取り付けられている。各締付具１２は、バンド本体１１の外面側に配置される背面部１２ａと、バンド本体１１の内面側に配置される突出部１２ｂとを有している。背面部１２ａは、矩形板状を成し、バンド本体１１の幅よりやや広い幅を有している。背面部１２ａは、複数（一例では２つ）の取付孔（締付側取付部）１２ｃを有している。各取付孔１２ｃは、各貫通孔１１ｃと同じ大きさの正方形状で、背面部１２ａの幅方向の中心位置で背面部１２ａを厚さ方向に貫通している。
【００１６】
各突出部１２ｂは、電柱１の円筒面に接する側の端面１２ｄが凹面状に形成されている。端面１２ｄは、取り付け可能なそれぞれ径が異なる電柱１のうち、最小の径の曲率と同じ曲率を有している。各突出部１２ｂは、ボルト用孔１２ｅを有している。ボルト用孔１２ｅは、各締付具１２をバンド本体１１に取り付けたとき、バンド本体１１の端部１１ｂに近い側でバンド本体１１の幅方向に貫通するよう設けられている。
【００１７】
各締付具１２は、それぞれ背面部１２ａの各取付孔１２ｃをバンド本体１１の長さ方向に配列させて、バンド本体１１の両端部１１ｂで任意の各取付孔１２ｃにより任意の貫通孔１１ｃに取り付け可能である。各締付具１２は、任意の取付孔１２ｃを任意の貫通孔１１ｃに重ね合わせて、貫通するボルト２およびナット３で貫通孔１１ｃに固定される。各締付具１２は、ボルト２およびナット３で固定する取付孔１２ｃおよび貫通孔１１ｃを変えることにより、バンド本体１１への取付位置を変更可能である。
【００１８】
各固定具１３は、コの字ボルト２１とアーム締付金具２２とを有している。コの字ボルト２１は平行の両端部に雄ネジが形成されており、両端部に対して垂直の中央部が各締付具１２の背面部１２ａの幅よりやや広い幅を有している。コの字ボルト２１は、中央部が各締付具１２のボルト用孔１２ｅに挿入され、中央部を中心として両端部が回転可能な状態で各締付具１２に取り付けられている。
【００１９】
アーム締付金具２２は、一例では熱間圧延鋼材ＳＳ４００製で、細長い矩形板状を成している。アーム締付金具２２は、両側縁が一方の表面側に垂直に折り曲げられ、断面がコの字型を成している。アーム締付金具２２は、コの字ボルト２１の両端部の間隔と同じ間隔をあけた１対の挿入孔（図示せず）を有している。アーム締付金具２２は、両側縁をコの字ボルト２１の中央部側に向けた状態で、各挿入孔にコの字ボルト２１の両端部をそれぞれ挿入し、その両端部の雄ネジにナット４を螺合させてコの字ボルト２１に取り付けられている。
【００２０】
なお、図１および図２に示す具体的な一例で、各部材の大きさは以下のとおりである。バンド本体１１は、長さ５３６ｍｍ、幅４０ｍｍである。各締付具１２は、背面部１２ａの幅が７０ｍｍである。コの字ボルト２１は、両端部の中心軸の間隔が９１ｍｍである。アーム締付金具２２は、長さ１２７ｍｍ、幅３５ｍｍである。
【００２１】
次に、作用について説明する。
電柱用アームバンド１０は、以下のようにして、電柱１に対して垂直に交差するようアーム部材５を取り付けることができる。アーム部材５は、例えば、断面が正方形または矩形の角パイプから成り、碍子を介して電線や通信線などを支持するための槍出アームなどの腕金として用いられる。
【００２２】
まず、アーム部材５を取り付ける高さで、電柱１の左右両側に各固定具１３が配置されるよう、電柱１に対しバンド本体１１を配置する。各固定具１３を電柱１の左右両側に配置し、コの字ボルト２１の両端部の間にアーム部材５を挿入し、アーム締付金具２２をアーム部材５に押し当てる。バンド本体１１の中央部１１ａと各締付具１２とアーム部材５との間に電柱を挟むように、アーム部材５を配置する。
【００２３】
このとき、各締付具１２をバンド本体１１の長さ方向に沿って移動させ、端面１２ｄが電柱１に接するよう配置する。アーム部材５を取り付けやすい位置で、各締付具１２を任意の取付孔１２ｃにより、バンド本体１１の任意の貫通孔１１ｃに取り付ける。その状態で、コの字ボルト２１の両端部のナット４を締め付け、電柱１の左右両側でアーム締付金具２２によりアーム部材５を電柱１の側に押し付ける。こうして、バンド本体１１と各締付具１２とアーム部材５とで電柱１を締め付け、アーム部材５を固定することができる。
【００２４】
電柱用アームバンド１０は、バンド本体１１に取り付ける各締付具１２の位置を、バンド本体１１の複数の貫通孔１１ｃと各締付具１２の複数の取付孔１２ｃとにより調整することができる。このため、各締付具１２の取付孔１２ｃが１つの場合に比べて、細かい調整が可能で、調整できる範囲を拡げることができる。このため、広い範囲の径の電柱に対応することができる。
【００２５】
具体的な一例では、取付可能な電柱１の径は、図３に示す従来の電柱用アームバンド５０では１９０〜２８０ｍｍであるのに対し、図１および図２に示す電柱用アームバンド１０では１９０〜３３０ｍｍであり、取付可能な電柱１の径の範囲が広くなっている。電柱用アームバンド１０により、電柱の径ごとに複数種類の電柱用アームバンドを準備する必要がなくなるので、材料費や製造費などのコストを低減し、かつ、製品管理を容易にすることができる。
【００２６】
各締付具１２は、凹面状に形成された端面１２ｄの曲率が、取り付けようとする電柱１のうち最小の電柱径の曲率と同じであるため、少なくともその端面１２ｄの２点で電柱１の円筒面に接する。これに対し、図３に示す従来の電柱用アームバンド５０では、各締付具５２がＬ型アングルから成っているため、各締付具５２が１点でしか電柱１に接しない。このため、従来の電柱用アームバンド５０は、電柱１に取り付けたとき、やや安定感に欠ける。電柱用アームバンド１０は、各締付具１２が２点で電柱１に接するため、電柱１に取り付けたときの安定性に優れている。
【符号の説明】
【００２７】
１  電柱
５  アーム部材
１０  電柱用アームバンド
１１  バンド本体
１１ａ  中央部
１１ｂ  端部
１１ｃ  貫通孔
１２  締付具
１２ａ  背面部
１２ｂ  突出部
１２ｃ  取付孔
１２ｄ  端面
１２ｅ  ボルト用孔
１３  固定具
２１  コの字ボルト
２２  アーム締付金具
【図１】
0003169833.tif 000003
【図２】
0003169833.tif 000004
【図３】
0003169833.tif 000005